(57)【要約】  本発明は、プレス成形により成形面形状が付与されたガラス素材を強制的に引き離し、ガラス素材の上型への張り付きを防止するガラス成形品の成形装置を提供する。上下プレスプレート６，７間に配置した上型２および下型３からなる成形型でガラス素材５０をプレス成形し、プレス後にガラス素材５０を成形型から離型させる離型手段５を有するガラス成形品の成形装置であって、離型手段５が、下端面を下型３の成形面外周部に臨ませた離型部材５ａと、上プレスプレート６を固定したプレス軸から張り出させて設けられた離型動作付与機構５ｃと、上部を離型動作付与機構５ｃに上下動可能に保持され、離型部材５ａに付与する下方への圧力を調節できる押し棒５ｂと、からなり、所定のタイミングで、プレス軸４に対して押し棒５ｂ及び離形部材５ａを下方へ移動させるガラス成形品の成形装置１。
2012169371.tif 000002
【特許請求の範囲】
【請求項１】
上下プレスプレート間に配置した上型および下型からなる成形型をプレス軸により押圧して下型上に配置したガラス素材をプレス成形し、プレス後に前記ガラス素材を前記成形型から離型させる離型手段を有するガラス成形品の成形装置であって、
前記離型手段が、前記上プレスプレートおよび前記上型を貫通して設けた案内孔に遊挿するとともに、下端面を前記下型の成形面外周部に臨ませた離型部材と、前記上プレスプレートを固定したプレス軸から張り出させて設けられた離型動作付与機構と、上部が前記離型動作付与機構に上下動可能に保持され、前記離型部材に付与する下方への圧力を調節できる押し棒と、からなり、
前記離型動作付与機構が、プレス後、前記上型および下型を離間させる際、前記プレス軸に対して前記押し棒及び前記離形部材を下方へ移動させることを特徴とするガラス成形品の成形装置。
【請求項２】
前記離型動作付与機構が、前記プレス軸から張り出され、その先端に上下方向に前記押し棒を遊挿できる案内孔を有する支持腕と、前記押し棒の前記支持腕よりも下方に設けられたフランジと、前記支持腕と前記押し棒のフランジ間に介挿されたコイルばねと、から構成される請求項１記載のガラス成形品の成形装置。
【請求項３】
前記離型部材の先端部分に、前記離型部材の下端面が前記上型の成形面外周面よりも下方に突出するように上型に保持される被保持部と、前記プレス軸が前記コイルばねの弾撥力に抗して下降する際、前記離型部材が前記下型の縁部に係止されて、その下端面が前記上型の成形面外周面と同程度の高さまたは成形面外周面よりも高くなるように規制する係止部と、を設けた請求項２記載のガラス成形品の成形装置。
【請求項４】
前記離型動作付与機構が、アクチュエーターである請求項１記載のガラス成形品の成形装置。
【請求項５】
前記離型動作付与機構が、エアシリンダーである請求項１記載のガラス成形品の成形装置。
【請求項６】
前記離型部材が、成形品の平面中心に対して点対称となる位置に２以上設けられている請求項１乃至５のいずれか１項記載のガラス成形品の成形装置。
【請求項７】
前記離型部材が、成形品の平面形状の外周に沿って、該平面形状と相似形状に設けられている請求項１乃至６のいずれか１項記載のガラス成形品の成形装置。
【発明の詳細な説明】
【技術分野】
【０００１】
本発明は、ガラス成形品を効率良くプレス成形できるガラス成形品の成形装置に係り、特に、プレス後に成形型とガラス素材とが貼り付いたままとなるのを防止し、ガラス素材を円滑に離型させ、生産性を向上できるガラス成形品の成形装置に関する。
【背景技術】
【０００２】
近年、成形型内に収容したガラス素材を、加熱軟化させてプレス成形し、ガラス成形品を製造する方法が一般化してきている。ところが、プレス成形時に成形型とプレスされたガラス素材が密着してしまい、ガラス素材を成形型から円滑に離型できない場合があった。このように貼り付いてしまうと、貼り付いたガラス素材を引き離すために、システムを一旦停止しなければならず、この問題は成形品の生産性を低下させる原因となっている。【０００３】
この問題点を解決するために様々な技術が検討され、特に有効なものとしては、プレス成形後に冷却による熱膨張差を利用するだけではなく、積極的に成形型とガラス素材を引き離す力を付与する構成を設けた成形装置が挙げられる。例えば、成形型の上型内にプレス成形後に引き離す力を付与できるようにばねと離型リングを設けた成形装置や（特許文献１参照）、離型リング、連結部材、駆動装置を設け、上型の軸に対してこれらをほぼ対称に配置したガラス成形装置の離型装置（特許文献２参照）が知られている。
【先行技術文献】
【特許文献】
【０００４】
【特許文献１】特開２００１−１９２２１５号公報
【特許文献２】特開平６−３２１５５６号公報
【発明の概要】
【発明が解決しようとする課題】
【０００５】
しかしながら、特許文献１のようにばねを上型と一体的な構成とし、このばねによる弾撥力を利用する発明においては、プレス成形により、上型と一緒にばねが成形温度に近い高温に加熱されるため、熱によるばね特性の劣化が進行する問題点があった。【０００６】
耐熱性の低いばねはすぐに弾撥力が減少して頻繁に部材を交換する必要が生じ、交換の際にはシステムを一旦停止しなければならないため、生産性を向上させるには充分ではなかった。一方、耐熱性の高いばねは交換の頻度は低くなるが、それでもガラス素材のプレス成形工程では高温での使用になるため、それほど長い寿命とはできず、また、高耐熱性のばねはコストがかかる問題点もあった。さらに、耐熱性の高いばねとしては、セラミックばねが代表的であるが、例えば、窒化ケイ素、ジルコニアなどのセラミック材のばねを使用する場合、物性上ワレの問題があり、また製造上の制約によりバネレート、線径、自由長、圧縮率などを自由に調整した所望のバネを入手することが困難である。
したがって、特許文献１の発明は、離型を効果的に行うためにはばねの交換が避けられず、必ずしも生産性や作業性を向上させるものではなかった。【０００７】
また、特許文献２記載の離型装置は、離型リング、連結部材および駆動装置を離型装置用の部材として設けなければならず、これらは成形装置の上型の外周に設けられるため大型の装置となり、また、別装置としての離型装置であるため装置構成が複雑で部品も多く、簡便な装置ではなかった。【０００８】
本発明は、上記の問題点に着目してなされたもので、ガラス成形品の製造にあたって、プレス成形により成形面形状が付与されたガラス素材を上型と強制的に引き離して、ガラス素材の張り付きを防止することで、予定しないシステムの停止を抑制して、ガラス成形品を効率的に製造できるガラス成形品の成形装置の提供を目的とする。さらに、離型手段を有していながら従来と同程度にコンパクトなサイズにできるガラス成形品の成形装置の提供を目的とする。
【課題を解決するための手段】
【０００９】
本発明者は、鋭意検討した結果、本発明のガラス成形品の成形装置により、上記問題を解決できることを見出し、本発明を完成した。【００１０】
すなわち、本発明のガラス成形品の成形装置は、上下プレスプレート間に配置した上型および下型からなる成形型をプレス軸により押圧して下型上に配置したガラス素材をプレス成形し、プレス後に前記ガラス素材を前記成形型から離型させる離型手段を有するガラス成形品の成形装置であって、前記離型手段が、前記上プレスプレートおよび前記上型を貫通して設けた案内孔に遊挿するとともに、下端面を前記下型の成形面外周部に臨ませた離型部材と、前記上プレスプレートを固定したプレス軸から張り出させて設けられた離型動作付与機構と、上部を前記離型動作付与機構に上下動可能に保持され、前記離型部材に付与する下方への圧力を調節できる押し棒と、からなり、前記離型動作付与機構が、プレス後、前記上型および下型を離間させる際、前記プレス軸に対して前記押し棒及び前記離形部材を下方へ移動させることを特徴とする。
【発明の効果】
【００１１】
本発明のガラス成形品の成形装置によれば、プレス成形したガラス素材を上型から確実に離型でき、離型が不十分となることを原因とするシステムの停止回数を無くすことができる。また、本発明の離型手段を組み込んだガラス成形品の成形装置は、従来のプレス成形装置と同程度の大きさにでき、従来の部品を流用できる箇所も多く、省スペース化の維持、コストの増大の抑制を可能とする。
【図面の簡単な説明】
【００１２】
【図１】本発明の一実施形態であるガラス成形品の成形装置の概略構成を示す側面図である。
【図２Ａ】図１のガラス成形品の成形装置におけるプレス成形時の離型部材の動作を説明する側断面図である。
【図２Ｂ】図１のガラス成形品の成形装置におけるプレス成形時の離型部材の動作を説明する側断面図である。
【図２Ｃ】図１のガラス成形品の成形装置におけるプレス成形時の離型部材の動作を説明する側断面図である。
【図２Ｄ】図１のガラス成形品の成形装置におけるプレス成形時の離型部材の動作を説明する側断面図である。
【図２Ｅ】図１のガラス成形品の成形装置におけるプレス成形時の離型部材の動作を説明する側断面図である。
【発明を実施するための形態】
【００１３】
以下、本発明を詳細に説明する。図１は、本発明の一実施形態であるガラス成形品の成形装置の概略構成を示す側面図であり、一部を透視図（破線部分）として表わしている。また、図２Ａ〜図２Ｅはプレス成形時の離型部材の動作を説明する側断面図である。この図２Ａ〜図２Ｅは、図１のガラス成形品の成形装置１の右側半分の側断面図（一部側面図）を示している。
【００１４】
本発明のガラス成形品の成形装置１は、ガラス素材をプレス成形するための上型２および下型３からなる成形型と、この成形型を使用してプレス動作させるために上型２を上下動させるプレス軸４と、プレス後に、ガラス素材と成形型とを離型させる離型手段５と、上型２を成形温度に保持できる上プレスプレート６と、下型３を成形温度に保持できる下プレスプレート７と、上プレスプレート６の熱をプレス軸４にそのまま伝えないようにする断熱板８と、から構成されている。
【００１５】
ここで、本発明は、後述する離型手段に関連する以外の構成は一般的なプレス成形装置と同様であり、上型２および下型３からなる成形型において、成形品となるガラス素材を挟み込んでプレスして成形操作が行われる。ここで、上型２は、上側の成形品形状を形成し、下型３は下側の成形品形状を形成する。
【００１６】
この上型２および下型３は、プレス成形により成形品形状を安定して付与できる素材、例えば、超硬合金、セラミックス、ＳＵＳ等の素材で形成すればよく、プレス成形時の高温環境下、高圧下でも容易に変形しないよう超硬合金やセラミックスが好ましい。そして、これら下型２および上型３の表面には、Ｉｒ−Ｒｅなどの貴金属膜、ＤＬＣなどのカーボン膜、Ｃｒなどのメッキ被膜など、プレス成形後、成形品と成形型との貼り付きを抑制する離型膜を設けるのが好ましい。
この上型２および下型３が有する成形面は、成形品形状に対応した形状とされるが、その具体的形状は特に限定されず、プレス成形により製造できる形状であればどのような形状でもよい。例えば、光学素子、ガラス製の種々の筐体、ガラス製の宝飾品等が挙げられる。
【００１７】
また、本実施形態においては、上型２の成形面の外周部分に、後述する離型手段５に対応する形状が設けられている。具体的には、離型部材５ａおよび押し棒５ｂを上方から遊挿するために他部材も合わせて貫通させた案内孔９が設けられており、その案内孔９の内部に、離型部材５ａの下端面を上型２の成形面外周面よりも下方に突出して保持できる保持部２ａが段差を有して設けられている。また、下型３の成形面の外周部分には、プレス時に、後述する離型部材５ａの先端部分の一部を下型３の縁部に接触させ係止させて、離型部材５ａの下端面が上型の成形面外周面と同程度の高さまたは成形面外周面よりも高くなるように規制する規制部３ａが設けられている。なお、ここで「遊挿」とは、空間的に余裕を持って挿入されている状態を意味し、「成形面外周面」とは、平面的に見たときに、成形面の輪郭形状よりも外側周辺部分の面を指す。
【００１８】
そして、この上型２および下型３でプレス成形するために、上型２および下型３の少なくとも一方を上下動させて接近および離間させる機能を有するプレス軸が設けられる。本実施形態においては、上型２を上下動させるプレス軸４により説明をしている。このとき、下型３は固定されていてもよいし、上型２と同様プレス軸により上下動を可能としてもよい。プレス軸は図示しないシリンダーに接続され、プレス軸およびそれに固定された部材を一体的に上下動可能とする。ここでシリンダーは、各プレートを上下動できればよく、例えば、電動サーボシリンダー、油圧シリンダー、電動油圧シリンダー等のシリンダーを使用できる。
【００１９】
本実施形態において、プレス軸４には、後述する離型手段５が軸に対して張り出して設けられるが、プレス軸４の動作と同期して所定のタイミングで動作すれば、離型手段５は必ずしもプレス軸４に設けられている必要はない。
【００２０】
離型手段５は、プレス後、その下端面を直接接触させてガラス素材に下方への力を付与する離型部材５ａと、この離型部材５ａと直接接触して上下動により下方への圧力を調節できる押し棒５ｂと、この押し棒５ｂを所定のタイミングでプレス軸４に対して下方へ移動させる離型動作付与機構であるばね部材５ｃと、から構成されている。
【００２１】
このように構成された離型手段５は、その下端面（離型部材５ａの下端面）が、上型２の成形面外周において、上型２の成形面外周面より下方に突出可能に保持され、下型３の成形面外周に臨むようになっている。そして、この下端面は、プレス時には上型２および下型３の成形面外周に押し出されるガラス素材と接触しないように、離型部材５ａの下端面が、上型２の成形面外周面と同程度の高さまたは成形面外周面よりも高くなるように規制される。また、ここで、「下型３の成形面外周に臨むようになっている」とは、離形手段５が下型３の成形面外周面の上方に配置されていることを意味する。
【００２２】
この動作を行うために、離型部材５ａの先端部分には、下端面よりも上方に下型３の規制部３ａと接触して、それ以上離型部材５ａが下方に動かないようにする係止部となる平面が設けられている。さらに、この係止部よりも上方に上型２の貫通孔において保持部２ａと接触して、所定の位置に保持されるようにした被保持部となる平面が設けられている。すなわち、離型部材５ａには、下端面、係止部となる平面、被保持部となる平面が、それぞれ段差を有して階段状に設けられている。この構造に関する動作については、後で詳細に述べる。
【００２３】
なお、この実施形態では、離型動作付与機構としてばね部材５ｃを設けた構成としているが、これは一例であって、プレス軸４に対して所定のタイミングで下方への力を付与できる機能を有するものであれば特に限定されるものではない。例えば、押し棒５ｂ及び離型部材５ａを、プレス軸４の上下動に対して所定のタイミングでプレス軸に対して下方に動作できる電動シリンダーなどのアクチュエーターやエアシリンダーが離型動作付与機構として例示できる。このとき、上記機能が確保されれば、離型動作付与機構をプレス軸４とは物理的に切り離して設けてもよい。
【００２４】
次に、ばね部材５ｃの構成を説明するが、このばね部材５ｃは、プレス軸４から張り出され、その先端に上下方向に押し棒５ｂを遊挿できる案内孔を有する支持腕５ｃ−１と、この支持腕５ｃ−１よりも下方に設けられ、押し棒５ｂに固定されたフランジ５ｃ−２と、支持腕５ｃ−１とフランジ５ｃ−２の間に介挿されたコイルばね５ｃ−３と、から構成されている。
【００２５】
押し棒５ｂは、このばね部材５ｃにより下方へ移動し、離型部材５ａへ力が与えられるようになっているが、離型部材５ａの被保持部が上型の保持部２ａに接触することで、通常は所定の位置に保持されている。このとき、離型部材５ａの下端面は上型２の成形面外周面よりも下方に突出している。
【００２６】
そして、この離型部材５ａの先端部分には、プレス時に下型の規制部３ａと接触する係止部が設けられており、プレス時には、押しきる動作の前に、離型部材５ａに対して規制部３ａとの接触による上方への力が付与される。このとき、離型部材５ａの位置は変わらないが、プレス軸４が下方に移動され、押しきるため、プレス軸４に対して離型部材５ａ及び押し棒５ｂは相対的に上方に移動することとなる。そして、このように相対位置が変化するため、コイルばね５ｃ−３は圧縮され、弾撥力が大きくなる。
【００２７】
この規制部３ａは、プレス時に上型２および下型３の成形面外周に押し出されるガラス素材と接触しないように、離型部材５ａの下端面が、上型２の成形面外周面と同程度の高さまたは成形面外周面よりも高くなるように規制する。
【００２８】
そして、上下プレスプレート６，７は、それぞれ上型２、下型３を保持し、安定してプレス成形するためのプレートであり、これらプレスプレート６，７間の距離を狭めることにより上型２と下型３との距離を狭めて、下型２の成形面上に載置されたガラス素材を軟化状態のまま押圧して変形させ、上型および下型の有する成形面形状をガラス素材に転写しガラス成形品とする。この上下プレスプレート６，７は、それぞれ接触することで上型２、下型３をプレス温度に加熱、保持できるように内部にカートリッジヒータが設けられている。
【００２９】
なお、これら上下のプレスプレート６，７は、それぞれ上型２および下型３を固定して、プレート温度を室温からプレス温度まで加熱し、加熱した状態でガラス素材をプレスし、プレス後には、上型２および下型３とプレスされたガラス素材をも冷却する、一軸固定で一連のプレス成形が可能な装置であってもよい。
【００３０】
また、加熱、プレス、冷却の一連の動作を、それぞれ異なるプレート（加熱プレート、プレスプレート、冷却プレート）で行うようにして、成形型を各プレート上に順次移動させるようにしてプレス成形を行う、型移動方式の成形装置であってもよい。このとき、ガラス素材が載置された下型３を各ステージに順次移動させ、上型２は上プレスプレートに固定したものが好ましい。
【００３１】
すなわち、本発明のポイントは、プレス直後に、上型２とガラス素材とを確実に引き離す点にあるため、上型２とガラス素材とを離型させるタイミングにおいて、本発明で説明する離型手段を有した構成であれればよい。
【００３２】
なお、上記プレスプレート６，７は、ステンレス、超硬、合金鋼等の素材の内部にカートリッジヒータを挿入し、固定したものであり、カートリッジヒータを加熱してプレートの温度を上昇させ、所望の温度に維持できる。
【００３３】
また、断熱板８は、プレスプレート６の熱をプレス軸４側に直接伝えないようにする部材であり、セラミックス、ステンレス、ダイス鋼、ハイス鋼等の公知の断熱板が用いられる。なかでも、硬度が高くプレス成形時の圧力等によっても変形しにくく、ズレを生じることが少ないセラミックスが好ましい。ダイス鋼、ハイス鋼を用いる場合は、表面にＣｒＮ、ＴｉＮ、ＴｉＡｌＮのコーティング処理を施すことが好ましい。
【００３４】
次に、本発明の離型手段の動作について図２Ａ〜図２Ｅを参照しながら説明する。
【００３５】
まず、このガラス成形品の成形装置１に、ガラス素材５０を成形面上に載置した下型３を配置する（図２Ａ）。
【００３６】
ガラス成形品の成形装置１が一軸固定式の成形装置である場合には、装置自体を十分に低い温度とした状態で、プレスプレート７に固定されている下型３の成形面にガラス素材５０を載置してから、プレスプレート７をカートリッジヒータにより昇温していく。一般に、ガラス素材５０を軟化点以上に加熱すると変形が容易となるため、軟化点以上に加熱してからプレス操作を行うが、光学ガラスなど反応性の高い硝材の場合には、軟化点まで温度を上げると表面が白濁するなどの現象が現れるので屈伏点（Ａｔ）から軟化点の間の温度に設定する。このとき、昇温速度は５〜３００℃／分程度が好ましく、３０〜３００℃／分程度がより好ましい。
【００３７】
この加熱にはカートリッジヒータ以外に、ガラス素材５０自体を加熱するためのヒータを設けてもよい。そして、充分にガラス素材５０が加熱されてから、次の動作に移る。
【００３８】
また、ガラス成形品の成形装置１が型移動方式の成形装置の一部である場合には、加熱ステージ、プレスステージ、冷却ステージとそれぞれの処理を行う場所がわかれており、ここで示したガラス成形品の成形装置１はプレスステージにおける構成を示したものとなる。このとき、装置外でガラス素材５０を事前に下型３上に載置しておき、これを一体的に装置内部に搬送し、加熱ステージ、プレスステージ、冷却ステージと順番に搬送して各処理を行う。したがって、加熱ステージで充分に加熱されたガラス素材５０と下型３がそのままプレスプレート７上に搬送され、図２Ａの状態となる。このとき、上型２はプレスプレート６に固定され、プレス操作できるように充分に加熱されている。また、プレスプレート７も、搬送されてきた下型３の温度を下げることなく、すぐにプレス動作できるように加熱されている。
【００３９】
ここで、離型手段５は、その押し棒５ｂが、断熱板８、プレスプレート６に設けられた案内孔９に対して上方から遊挿されるように挿入され、押し棒５ｂの下端面は離型部材５ａの上部に接触している。離型部材５ａは上型２の案内孔９に設けられた保持部２ａにより保持されて、それ以上、下方に下がらないようになっている。また、この押し棒５ｂは、ばね部材５ｃにより下方への力が付与されており、このとき押し棒５ｂにより離型部材５ａは保持部２ａに軽く押しつけられた状態となっている。さらに、離型部材５ａの先端部分は上記したように下端面、係止部、被保持部と、それぞれが段差を有する階段状の形状で形成されており、下端面は上型２の成形面外周面よりも下方に突出している。
【００４０】
次いで、上型２および下型３を接近させるが、本実施形態では、下プレスプレート７は固定され、上プレスプレート６は断熱板８を介してプレス軸４と連結しており、上プレスプレート６に上型２が固定されている。したがって、プレス軸４を上下動させることで、上プレスプレート６および上型２も一体的に上下動し、プレス動作ができるようになっている。
【００４１】
図２Ａの状態からプレス軸４により上型２を下降させ、上型２と下型３とを接近させていくと、本実施形態においては、まず、離型部材５ａの係止部が下型３の規制部３ａに接触し、離型部材５ａはそれ以上、下方に動かないように規制される（図２Ｂ）。
【００４２】
さらに、プレス軸４により下型２を下方に動かしていくと、上記したように離型部材５ａはそれ以上降下できず、その位置で規制される。一方、プレス軸４に固定された部材はさらに下方に動き、ガラス素材５０をプレスして上型２および下型３の成形面形状がガラス素材５０に転写される。このとき、ばね部材５ｃのコイルばね５ｃ−３は、その下端部が固定され、上端部はプレス軸４により下方に押込まれるため圧縮され弾撥力が大きくなる（図２Ｃ）。
【００４３】
また、このプレス動作において、離型部材５ａは規制され、上型２はさらに下降するため、離型部材５ａの下端面が上型２の成形面外周面と同程度または高い位置となる。このように離型部材５ａは、他の部材に対して相対的に上方に移動し、これにより、プレスされたガラス素材５０の成形面外周に押し出される余ったガラス素材５０ａの移動を妨げない。すなわち、余ったガラス素材５０ａは離型部材５ａの下に潜り込むこととなる（図２Ｃ）。
【００４４】
このようにしてプレス動作が終了した後、上下プレスプレート６，７の温度を下げ、成形されたガラス素材５０を冷却して、固化させる。この冷却は、ガラス素材のガラス転移点（Ｔｇ）以下に冷却させることが好ましく、ガラス素材の歪点以下の温度にまで冷却させることがより好ましい。このとき、降温速度は５〜１５０℃／分程度が好ましく、１５〜１５０℃／分程度がより好ましい。
【００４５】
ガラス素材５０が充分冷却したところで、今度は、プレス軸４により上型２を上昇させて、上型２および下型３を離間させる。このとき、プレスされたガラス素材５０は、自然に離型する場合もあるが、上型２に貼り付いてしまう場合も多い。本実施形態においては、上型２にガラス素材５０が貼り付いた場合でも、上型２を上昇させてすぐに、成形面外周に押し出された余ったガラス素材５０ａが、離型部材５ａの下端面に接触する（図２Ｄ）。
【００４６】
さらに上型２を上昇させていくと、離型部材５ａは押し棒５ｂによりばね部材５ｃの圧縮が十分に解放されていないため、プレス軸４や上型２に対して下方へ移動する力が働き、次第に上型２の成形面外周面から突出してくる。そして、この離型部材５ａがガラス素材５０ａに対して下方へ押し下げる力を付与し、ガラス素材５０全体が上型２から引き離され、離形が確実に行われる（図２Ｅ）。
【００４７】
さらに上型２を上昇させていくと、離型部材５ａの被保持部は再び上型２の保持部２ａと接触し、その後は上型２と一緒に上昇していき、図２Ａの状態に戻る。その後、成形されたガラス素材５０を取出し、所定の処理を施して最終製品としてのガラス成形体とする。
【００４８】
上記説明したように、離型部材５ａの下端面と余ったガラス素材５０ａが接触する力によってガラス素材が成形型と離型する力が付与されるが、大きく偏った力が付与されると成形品の一部が成形型に貼り付いたまま離型して、製品とできない場合がある。そのため、成形品に対してできるだけ均等に離型する力が働くように、離型手段は２以上が好ましい。その際、離型手段の配置は、成形品の平面中心に対して対称となる位置が好ましい。
なお、離型部材５ａとしては、上記説明したように離型手段として押し棒５ｂのある位置に設ければよく、押し棒５ｂ部分にのみ設けても、押し棒５ｂ部分も含め、成形品の平面形状の外周に沿って、該平面形状の相似形状に設けていてもよい。このとき、離型部材は成形品よりも一回り大きく設け、プレス時に外周部に押し出される余ったガラス素材に引っ掛かる程度の大きさとする。そして、この離型部材は、相似形状の一部欠けた形状としてもよく、例えば、平面形状が長方形の筐体であった場合、その４辺あるうちの１辺や対向する２辺に、その辺全体に接触する離型部材を設け、それ以外の辺には離型部材を設けない構成としてもよい。この場合、押し棒５ｂはその辺の中央部に１つ設けたり、その辺の両端付近に２つ設けたり、さらにそれ以上の押し棒を設けたりしてもよく、離型部材全体に対してほぼ同じタイミングで下方に圧力を付与できればよい。
【産業上の利用可能性】
【００４９】
本発明のガラス成形体の成形装置は、プレス成形によりガラス成形体を製造する際に必須となる成形型とガラス素材とを確実に離型させられるため、プレス成形の分野において広く使用できる。
【符号の説明】
【００５０】
１…ガラス成形体の成形装置、２…上型、２ａ…保持部、３…下型、３ａ…規制部、４…プレス軸、５…離型手段、５ａ…離型部材、５ｂ…押し棒、５ｃ…ばね部材、６…上プレスプレート、７…下プレスプレート、８…断熱板、９…案内孔、５０…ガラス素材。
【図１】
2012169371.tif 000003
【図２Ａ】
2012169371.tif 000004
【図２Ｂ】
2012169371.tif 000005
【図２Ｃ】
2012169371.tif 000006
【図２Ｄ】
2012169371.tif 000007
【図２Ｅ】
2012169371.tif 000008
【国際調査報告】
2012169371.tif 000009
2012169371.tif 000010
2012169371.tif 000011